【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】
柔軟性のある柔軟性シート状体と、
該柔軟性シート状体の一方の面に多数配列され、固定される剛性部材とを有し、
該剛性部材は、
前記柔軟性シート状体に対して、前記剛性部材が固定された側に湾曲するような曲げ応力が作用した際に、該剛性部材の側面が、隣接する他の剛性部材の側面の少なくとも一部と当接可能に配列されていることを特徴とする構造材。
【請求項２】
前記剛性部材を固定している、可撓性のある前記柔軟性シート状体が、それ自体クッション材としての性質を有しているか、あるいは前記柔軟性シート状体を介して前記剛性部材に接している面と反対の面に、クッション材が固定されていることを特徴とする請求項１に記載の構造材。
【請求項３】
前記クッション材は、多孔質であることを特徴とする請求項１又は２に記載の構造材。
【請求項４】
前記剛性部材は、その内部に形成された中空部を有することを特徴とする請求項１乃至３のいずれかに記載の構造材。
【請求項５】
前記剛性部材又は前記柔軟性シート状体に取り付けられる棒部材を備えることを特徴とする請求項１乃至４のいずれかに記載の構造材。
【請求項６】
前記剛性部材に形成された固定部と、
該固定部に取り付けられる固定部材とを備え、
前記棒部材は、その端面に形成された第一の係合部において前記固定部材と係合されることを特徴とする請求項５に記載の構造材。
【請求項７】
前記剛性部材に形成された固定部と、
該固定部に取り付けられる固定部材とを備え、
前記棒部材は、その側面に形成された第二の係合部において前記固定部材と係合されることを特徴とする請求項５又は６に記載の構造材。
【請求項８】
前記固定部が形成された剛性部材は、該固定部が形成されていない剛性部材よりも幅が大きいことを特徴とする請求項６又は７に記載の構造材。
【請求項９】
前記固定部が形成された剛性部材は、強化プラスチックからなることを特徴とする請求項６乃至８のいずれかに記載の構造材。
【請求項１０】
流動体が注入された膨張部と、
該膨張部を前記固定部材に取り付ける取り付け部とを備えることを特徴とする請求項６乃至９のいずれかに記載の構造材。
【請求項１１】
前記棒部材を複数備え、
該棒部材同士を緊結する緊結部材を備えることを特徴とする請求項６乃至１０のいずれかに記載の構造材。
【請求項１２】
前記棒部材は、その側面に形成され、前記柔軟性シート状体又は前記剛性部材の端部が挿入可能な溝部を有することを特徴とする請求項５に記載の構造材。
【請求項１３】
前記棒部材を複数備え、
該棒部材の端面同士を結合する結合部材を備えることを特徴とする請求項５乃至１３のいずれかに記載の構造材。
【請求項１４】
異なる前記柔軟性シート状体に固定された前記剛性部材同士を連結する連結部材とを備えることを特徴とする請求項１乃至１４のいずれかに記載の構造材。
【請求項１５】
前記剛性部材に形成された第一の連結部と、
該第一の連結部と連結可能であり、前記クッション材に形成された第二の連結部とを備えることを特徴とする請求項１乃至１４のいずれかに記載の構造材。
【請求項１６】
柔軟性のある柔軟性シート状体と、
該柔軟性シート状体の一方の面に多数配列され、固定される剛性部材と、
該剛性部材に形成された固定部と、
該固定部に取り付けられる固定部材と、
該固定部材を介して前記剛性部材に固定される複数の脚部と、
該脚部に形成され、前記固定部材と係合する係合部とを有し、
前記剛性部材は、
前記柔軟性シート状体に対して、前記剛性部材が固定された側に湾曲するような曲げ応力が作用した際に、該剛性部材の側面が、隣接する他の剛性部材の側面の少なくとも一部と当接可能に配列されていることを特徴とする椅子。
【請求項１７】
柔軟性のある柔軟性シート状体と、
該柔軟性板シート状体の一方の面に多数配列され、固定される剛性部材と、
該剛性部材に形成された固定部と、
該固定部に取り付けられる固定部材と、
該固定部材を介して前記剛性部材に固定される複数の脚部と、
該脚部に形成され、前記固定部材と係合する係合部とを有し、
前記剛性部材は、
前記柔軟性シート状体に対して、前記剛性部材が固定された側に湾曲するような曲げ応力が作用した際に、該剛性部材の側面が、隣接する他の剛性部材の側面の少なくとも一部と当接可能に配列されていることを特徴とするテーブル。
【請求項１８】
柔軟性のある柔軟性シート状体と、
該柔軟性板シート状体の一方の面に多数配列され、固定される剛性部材と、
前記柔軟性板シート状体又は前記剛性部材に取り付けられる支柱とを備え、
前記剛性部材は、
前記柔軟性シート状体に対して、前記剛性部材が固定された側に湾曲するような曲げ応力が作用した際に、該剛性部材の側面が、隣接する他の剛性部材の側面の少なくとも一部と当接可能に配列されていることを特徴とするパーテーション。
【請求項１９】
複数の、柔軟性のある柔軟性シート状体と
該柔軟性シート状体の一方の面に多数配列され、固定される剛性部材と、
異なる前記柔軟性シート状体に固定された前記剛性部材同士を連結する連結部材とを備え、前記剛性部材は、
前記柔軟性シート状体に対して、前記剛性部材が固定された側に湾曲するような曲げ応力が作用した際に、該剛性部材の側面が、隣接する他の剛性部材の側面の少なくとも一部と当接可能に配列されていることを特徴とするパーテーション。
【請求項２０】
複数の柔軟性のある柔軟性シート状体と、
該柔軟性板シート状体の一方の面に多数配列され、固定される剛性部材と、
該剛性部材に形成された第一の連結部と、
該第一の連結部と連結可能であり、前記柔軟性シート状体に形成された第二の連結部とを備え、前記剛性部材は、
前記柔軟性板シート状体に対して、前記剛性部材が固定された側に湾曲するような曲げ応力が作用した際に、該剛性部材の側面が、隣接する他の剛性部材の側面の少なくとも一部と当接可能に配列されていることを特徴とするパーテーション。
【請求項２１】
請求項１乃至１２のいずれかに記載の前記構造材を備えることを特徴とする避難生活物品又は避難居住空間形成物。
【手続補正２】
【補正対象書類名】明細書
【補正対象項目名】０１３２
【補正方法】変更
【補正の内容】
【０１３２】（避難居住空間形成物）このように、連結部材を用いなくとも、複数のパーテーション５１ｉ〜５１ｎを、様々な大きさや形状に連結したものへ容易に形成できる。よって、当該連結したパーテーション５１ｉ〜５１ｎを用いて、空間を様々に間仕切したり、様々な居住空間を形成したりできる。次に、パーテーションを用いて居住空間を形成する場合について説明する。図４７は、本実施形態に係る居住空間６１と居住空間７１の上面図である。図４８は、居住空間６１の正面図である。図４７に示すように、居住空間６１，７１は、パーテーション６２と、支柱６３ａ〜６３Ｘと、入口シート６４とから構成される。本実施形態では、パーテーション６２は、テーブル天板４１ａと同様のものを用いる。即ち、クッション材と剛性部材と柔軟性シート状体とから構成され、長さ１２０ｃｍ、横幅９０ｃｍ、厚さ２ｃｍである。そして、剛性部材の側面を隣接する他の剛性部材の側面と当接させて、平面状態を保って使用する。


【手続補正３】
【補正対象書類名】明細書
【補正対象項目名】符号の説明
【補正方法】変更
【補正の内容】
【符号の説明】
１，１１  構造材
２，２２，４２，５２ａ〜５２ｄ，８３柔軟性シート状材
３，２３，４３，５３，８４  剛性部材
７，２４，４４，５４，８５クッション体
２１，２２１，３２１  椅子
２５，３２５  前脚部
２６，３２６  後脚部
２６１  上後脚部
２６２  下後脚部
２７，２８，４６，２４６，３２７，３２８  ネジ
２９  ボルト
３０  ワイヤー
３１  係止部材
３２，３３  膨張部材
４１，２４１  テーブル
４５，２４５  脚部
５１ａ〜５１ｎ，６２，８２ａ〜８２ｆ，２５１ａ〜２
５１ｄ  パーテーション
５５１〜５５３，８６１〜８６８  連結部材
６１，７１  居住空間
６３ａ〜６３Ｘ  支柱
６４  入口シート
６５  天井シート
８１  屏風
２４８，３３２  カバー